【手続補正書】
【提出日】平成29年8月17日(2017.8.17)
【手続補正１】
【補正対象書類名】特許請求の範囲
【補正対象項目名】全文
【補正方法】変更
【補正の内容】
【特許請求の範囲】
【請求項１】
医療診断を支援する情報を提供する診断支援装置であって、
前記医療診断の対象に関する医用情報を取得する医用情報取得手段と、
ユーザにより設定された想定診断名を取得する想定診断名取得手段と、
前記想定診断名との比較を行う比較診断名を取得する比較診断名取得手段と、
前記取得した医用情報の夫々によって前記想定診断名の確からしさが増加または低下する度合いを示す、前記医用情報の夫々に対する第１の影響度を取得する第１影響度取得手段と、
前記取得した医用情報の夫々によって前記比較診断名の確からしさが増加または低下する度合いを示す、前記医用情報の夫々に対する第２の影響度を取得する第２影響度取得手段と、
前記第１の影響度と前記第２の影響度とに基づいて、前記想定診断名と前記比較診断名とのうちの一方の確からしさを増加させ他方の確からしさを低下させる少なくとも一部の前記医用情報を支援情報として選択する選択手段と、
前記支援情報を提示する提示手段と、
を有することを特徴とする診断支援装置。
【請求項２】
前記医用情報は既入力情報として取得されることを特徴とする請求項１に記載の診断支援装置。
【請求項３】
前記既入力情報に基づいて前記医療診断に係る推論結果を取得する推論手段を更に有し、
前記比較診断名は、前記推論結果のうち、可能性が高い診断名であることを特徴とする請求項２に記載の診断支援装置。
【請求項４】
前記比較診断名は、前記想定診断名より重要度の高い診断名であることを特徴とする請求項１に記載の診断支援装置。
【請求項５】
前記支援情報は、前記既入力情報の少なくとも一部であることを特徴とする請求項２に記載の診断支援装置。
【請求項６】
前記医用情報は、既入力情報以外の医用情報である未入力情報として取得され、前記支援情報は、前記未入力情報の少なくとも一部であることを特徴とする請求項１に記載の診断支援装置。
【請求項７】
前記支援情報は、前記想定診断名の確からしさを低下させ前記比較診断名の確からしさを増加させる情報であることを特徴とする請求項１に記載の診断支援装置。
【請求項８】
前記支援情報は、前記想定診断名の確からしさを増加させる情報であることを特徴とする請求項６に記載の診断支援装置。
【請求項９】
前記支援情報は、前記想定診断名の確からしさを増加させ前記比較診断名の確からしさを低下させる情報であることを特徴とする請求項６に記載の診断支援装置。
【請求項１０】
前記推論手段は、前記医用情報の夫々の組に基づいて前記医療診断に係る第２の推論結果を取得し、
前記比較診断名取得手段は、前記第２の推論結果から第２の比較診断名を取得する
ことを特徴とする請求項３に記載の診断支援装置。
【請求項１１】
前記支援情報は、前記想定診断名と前記第２の比較診断名とが一致するような情報であることを特徴とする請求項１０に記載の診断支援装置。
【請求項１２】
前記支援情報は、前記推論結果と、前記想定診断名の確からしさの増加の度合いを最大にする情報を入力した場合、及び、前記想定診断名の確からしさの低下の度合いを最大にする情報を入力した場合の、推論結果の推移を示すような情報であることを特徴とする請求項１０に記載の診断支援装置。
【請求項１３】
操作部を介してユーザにより入力された診断名を取得する取得手段と、
医用情報が診断名に対して与える影響に基づいて、前記操作部から入力された診断名に対して否定的な医用情報を選択する選択手段と、
前記選択された医用情報を表示手段に表示させる表示制御手段と、
を有することを特徴とする診断支援装置。
【請求項１４】
ユーザにより入力された情報に基づいて推論された診断名を取得する推論手段をさらに有し、
前記選択手段は、前記操作部から入力された診断名に対して否定的であり、前記推論された診断名に対して肯定的である医用情報を選択する
ことを特徴とする請求項１３に記載の診断支援装置。
【請求項１５】
前記選択手段は、前記診断名の前記推論に用いられた医用情報の中から前記表示手段に表示させる医用情報を選択することを特徴とする請求項１４に記載の診断支援装置。
【請求項１６】
前記選択手段は、前記診断名の前記推論に用いられていない医用情報の中から前記表示手段に表示させる医用情報を選択することを特徴とする請求項１４に記載の診断支援装置。
【請求項１７】
前記表示制御手段は、医用画像と、前記推論された診断名と、前記選択された情報とを前記表示手段に表示させることを特徴とする請求項１４乃至１６のいずれか１項に記載の診断支援装置。
【請求項１８】
医療診断を支援する情報を提供する診断支援装置の制御方法であって、
医用情報取得手段が、前記医療診断の対象に関する医用情報を取得するステップと、
想定診断名取得手段が、ユーザにより設定された想定診断名を取得するステップと、
比較診断名取得手段が、前記想定診断名との比較を行う比較診断名を取得するステップと、
第１影響度取得手段が、前記取得した医用情報の夫々によって前記想定診断名の確からしさが増加または低下する度合いを示す、前記医用情報の夫々に対する第１の影響度を取得するステップと、
第２影響度取得手段が、前記取得した医用情報の夫々によって前記比較診断名の確からしさが増加または低下する度合いを示す、前記医用情報の夫々に対する第２の影響度を取得するステップと、
選択手段が、前記第１の影響度と前記第２の影響度とに基づいて、前記想定診断名と前記比較診断名とのうちの一方の確からしさを増加させ他方の確からしさを低下させる少なくとも一部の前記医用情報を支援情報として選択するステップと、
提示手段が、前記支援情報を提示するステップと、
を有することを特徴とする診断支援装置の制御方法。
【請求項１９】
前記医用情報は既入力情報として取得されることを特徴とする請求項１８に記載の制御方法。
【請求項２０】
取得手段が、操作部を介してユーザにより入力された診断名を取得するステップと、
選択手段が、医用情報が診断名に対して与える影響に基づいて、前記操作部から入力された診断名に対して否定的な医用情報を選択するステップと、
表示制御手段が、前記選択された医用情報を表示手段に表示させるステップと、
を有することを特徴とする診断支援装置の制御方法。
【請求項２１】
コンピュータを、請求項１乃至１７のいずれか１項に記載の診断支援装置が有する各手段として機能させるためのプログラム。
【手続補正２】
【補正対象書類名】明細書
【補正対象項目名】００１１
【補正方法】変更
【補正の内容】
【００１１】
本発明の一側面によれば、医療診断を支援する情報を提供する診断支援装置であって、前記医療診断の対象に関する医用情報を取得する医用情報取得手段と、ユーザにより設定された想定診断名を取得する想定診断名取得手段と、前記取得した医用情報の夫々によって前記想定診断名の確からしさが増加または低下する度合いを示す、前記医用情報の夫々に対する第１の影響度を取得する第１影響度取得手段と、前記取得した医用情報の夫々によって前記比較診断名の確からしさが増加または低下する度合いを示す、前記医用情報の夫々に対する第２の影響度を取得する第２影響度取得手段と、前記第１の影響度と前記第２の影響度とに基づいて、前記想定診断名と前記比較診断名とのうちの一方の確からしさを増加させ他方の確からしさを低下させる少なくとも一部の前記医用情報を支援情報として選択する選択手段と、前記支援情報を提示する提示手段とを有することを特徴とする診断支援装置が提供される。